(57)【特許請求の範囲】
【請求項１】
圧縮機、凝縮器、膨張弁、及び蒸発器を順次に介して冷媒が循環する冷媒回路と、
少なくとも前記圧縮機及び前記膨張弁を制御する制御部と、
空調対象空間の温度を検出する室内温度センサと、を備え、
前記凝縮器及び前記蒸発器の一方は室外熱交換器であり、他方は室内熱交換器であり、
リモコンの凍結処理の実行ボタンがユーザによって押された場合、前記制御部は、前記室内熱交換器を前記蒸発器として機能させ、前記室内熱交換器を凍結させる前記凍結処理を行い、
前記室内温度センサの検出値が第１所定値以上であるときには、前記制御部は、前記凍結処理を行わず、
前記第１所定値は、冷房運転時又は暖房運転時に前記リモコンで変更可能な設定温度の上限値よりも低い空気調和機。
【請求項２】
前記制御部は、前記室内温度センサの検出値が、前記第１所定値よりも低い第２所定値以下であるとき、前記凍結処理を行わない
ことを特徴とする請求項１に記載の空気調和機。
【請求項３】
前記制御部は、前記室内温度センサの検出値が前記第１所定値以上である場合でも、前記凍結処理に先立って冷房運転又は除湿運転を行っていたときには、前記凍結処理を実行する
ことを特徴とする請求項１に記載の空気調和機。
【請求項４】
圧縮機、凝縮器、膨張弁、及び蒸発器を順次に介して冷媒が循環する冷媒回路と、
少なくとも前記圧縮機及び前記膨張弁を制御する制御部と、
空調対象空間の温度を検出する室内温度センサと、を備え、
前記凝縮器及び前記蒸発器の一方は室外熱交換器であり、他方は室内熱交換器であり、
前記室内熱交換器の温度を検出する室内熱交換器温度センサをさらに備え、
前記制御部は、前記室内熱交換器を前記蒸発器として機能させ、前記室内熱交換器を凍結させる凍結処理を行い、
前記制御部は、前記室内温度センサの検出値が第１所定値以上である場合であって、さらに、前記凍結処理に先立って冷房運転又は除湿運転を行ったときの前記室内熱交換器温度センサの検出値に対する前記室内温度センサの検出値の差が第３所定値以下であるときには、前記凍結処理を行わず、
前記第１所定値は、冷房運転時又は暖房運転時にリモコンで変更可能な設定温度の上限値よりも低い空気調和機。
【請求項５】
前記制御部は、前記凍結処理に先立って行った冷房運転又は除湿運転における前記圧縮機のモータの回転速度に対応して、前記第３所定値を設定し、
前記圧縮機の前記モータの回転速度が大きいほど、前記第３所定値が大きい
ことを特徴とする請求項４に記載の空気調和機。
【請求項６】
前記制御部は、前記室内温度センサの検出値が前記第１所定値以上である場合において、前記凍結処理を行わないとき、冷房運転又は送風運転を行う
ことを特徴とする請求項１に記載の空気調和機。
【請求項７】
前記室内熱交換器の付近に設置される室内ファンを備え、
前記制御部は、前記室内温度センサを用いた前記空調対象空間の温度の検出時に前記室内ファンを駆動させる
ことを特徴とする請求項１に記載の空気調和機。
【請求項８】
圧縮機、凝縮器、膨張弁、及び蒸発器を順次に介して冷媒が循環する冷媒回路と、
少なくとも前記圧縮機及び前記膨張弁を制御する制御部と、
空調対象空間の温度を検出する室内温度センサと、
空気調和機の付近の室外湿度を含む気象情報をサーバから取得する気象情報取得部と、を備え、
前記凝縮器及び前記蒸発器の一方は室外熱交換器であり、他方は室内熱交換器であり、
前記制御部は、前記室内熱交換器を前記蒸発器として機能させ、前記室内熱交換器を凍結させる凍結処理を行い、
前記制御部は、前記室内温度センサの検出値が第１所定値以上である場合であって、さらに、前記気象情報取得部によって取得された前記気象情報に含まれる室外湿度が第４所定値以下であるときには、前記凍結処理を実行し、
前記第１所定値は、冷房運転時又は暖房運転時にリモコンで変更可能な設定温度の上限値よりも低い空気調和機。
【請求項９】
圧縮機、凝縮器、膨張弁、及び蒸発器を順次に介して冷媒が循環する冷媒回路と、
少なくとも前記圧縮機及び前記膨張弁を制御する制御部と、
空調対象空間の温度を検出する室内温度センサと、を備え、
前記凝縮器及び前記蒸発器の一方は室外熱交換器であり、他方は室内熱交換器であり、
前記制御部は、前記室内熱交換器を前記蒸発器として機能させ、前記室内熱交換器を凍結させる凍結処理を行い、
前記制御部は、前記室内温度センサの検出値が第１所定値以上である場合であって、さらに、前記凍結処理に先立って行った冷房運転又は除湿運転において、前記室内温度センサの検出値の低下幅又は低下速度が第５所定値以上であるときには、前記凍結処理を実行し、
前記第１所定値は、冷房運転時又は暖房運転時にリモコンで変更可能な設定温度の上限値よりも低い空気調和機。
【請求項１０】
圧縮機、凝縮器、膨張弁、及び蒸発器を順次に介して冷媒が循環する冷媒回路と、
少なくとも前記圧縮機及び前記膨張弁を制御する制御部と、
空調対象空間の温度を検出する室内温度センサと、を備え、
前記凝縮器及び前記蒸発器の一方は室外熱交換器であり、他方は室内熱交換器であり、
リモコンの凍結処理の実行ボタンがユーザによって押された場合、前記制御部は、前記室内熱交換器を前記蒸発器として機能させ、前記室内熱交換器を凍結させる前記凍結処理を行い、
前記室内温度センサの検出値が第１所定値以上であるときには、前記制御部は、冷房運転又は除湿運転を行った後に前記凍結処理を行い、
前記第１所定値は、冷房運転時又は暖房運転時に前記リモコンで変更可能な設定温度の上限値よりも低い空気調和機。
【発明の詳細な説明】
【技術分野】
【０００１】
本発明は、空気調和機に関する。
【背景技術】
【０００２】
空気調和機の室内熱交換器を清潔な状態にする技術として、例えば、特許文献１には、室内熱交換器の着霜・除霜を順次に行って、室内熱交換器の汚れを除去することが記載されている。
【先行技術文献】
【特許文献】
【０００３】
【特許文献１】特開２０１０−１４２８８号公報
【発明の概要】
【発明が解決しようとする課題】
【０００４】
ところで、室内熱交換器に着霜させると、室内機付近の空気の温度が露点を下回り、室内機の筐体や諸部品が結露する可能性がある。例えば、室内機の筐体の外表面が結露すると、場合によっては、その結露水が自重で落下（露垂れ）する可能性がある。このような問題の対策について、特許文献１には記載されていない。【０００５】
そこで、本発明は、室内熱交換器を清潔な状態にし、さらに、露垂れを抑制する空気調和機を提供することを課題とする。
【課題を解決するための手段】
【０００６】
前記課題を解決するために、本発明に係る空気調和機は、リモコンの凍結処理の実行ボタンがユーザによって押された場合、制御部が、室内熱交換器を蒸発器として機能させ、前記室内熱交換器を凍結させる前記凍結処理を行い、室内温度センサの検出値が第１所定値以上であるときには、前記制御部は、前記凍結処理を行わず、前記第１所定値は、冷房運転時又は暖房運転時に前記リモコンで変更可能な設定温度の上限値よりも低いこととした。
また、本発明に係る空気調和機は、制御部が、室内熱交換器を蒸発器として機能させ、前記室内熱交換器を凍結させる凍結処理を行い、前記制御部は、室内温度センサの検出値が第１所定値以上である場合であって、さらに、前記凍結処理に先立って冷房運転又は除湿運転を行ったときの室内熱交換器温度センサの検出値に対する前記室内温度センサの検出値の差が第３所定値以下であるときには、前記凍結処理を行わず、前記第１所定値は、冷房運転時又は暖房運転時にリモコンで変更可能な設定温度の上限値よりも低いこととした。
また、本発明に係る空気調和機は、制御部が、室内熱交換器を蒸発器として機能させ、前記室内熱交換器を凍結させる凍結処理を行い、前記制御部は、室内温度センサの検出値が第１所定値以上である場合であって、さらに、気象情報取得部によって取得された気象情報に含まれる室外湿度が第４所定値以下であるときには、前記凍結処理を実行し、前記第１所定値は、冷房運転時又は暖房運転時にリモコンで変更可能な設定温度の上限値よりも低いこととした。
また、本発明に係る空気調和機は、制御部が、室内熱交換器を蒸発器として機能させ、前記室内熱交換器を凍結させる凍結処理を行い、前記制御部は、室内温度センサの検出値が第１所定値以上である場合であって、さらに、前記凍結処理に先立って行った冷房運転又は除湿運転において、前記室内温度センサの検出値の低下幅又は低下速度が第５所定値以上であるときには、前記凍結処理を実行し、前記第１所定値は、冷房運転時又は暖房運転時にリモコンで変更可能な設定温度の上限値よりも低いこととした。
【０００７】
また、本発明に係る空気調和機は、リモコンの凍結処理の実行ボタンがユーザによって押された場合、制御部が、室内熱交換器を蒸発器として機能させ、前記室内熱交換器を凍結させる前記凍結処理を行い、室内温度センサの検出値が第１所定値以上であるときには、前記制御部は、冷房運転又は除湿運転を行った後に前記凍結処理を行い、前記第１所定値は、冷房運転時又は暖房運転時に前記リモコンで変更可能な設定温度の上限値よりも低いこととした。
【発明の効果】
【０００８】
本発明によれば、室内熱交換器を清潔な状態にし、さらに、露垂れを抑制する空気調和機を提供できる。
【図面の簡単な説明】
【０００９】
【図１】本発明の第１実施形態に係る空気調和機の構成図である。
【図２】本発明の第１実施形態に係る空気調和機の室内機の縦断面図である。
【図３】本発明の第１実施形態に係る空気調和機の機能ブロック図である。
【図４】本発明の第１実施形態に係る空気調和機の制御部が実行する処理のフローチャートである。
【図５】本発明の第１実施形態に係る空気調和機において、室内温度に関する第１所定値や上限値が記載された湿り空気線図である
【図６】本発明の第１実施形態に係る空気調和機が備える圧縮機及び室内ファンのＯＮ／ＯＦＦの切替えに関する説明図である。
【図７】本発明の第２実施形態に係る空気調和機の制御部が実行する処理のフローチャートである。
【図８】本発明の第３実施形態に係る空気調和機の制御部が実行する処理のフローチャートである。
【図９】本発明の第４実施形態に係る空気調和機の制御部が実行する処理のフローチャートである。
【図１０】本発明の第５実施形態に係る空気調和機の制御部が実行する処理のフローチャートである。
【図１１】本発明の第５実施形態に係る空気調和機が備える圧縮機モータの回転速度と、第３所定値と、の関係を示すマップである。
【図１２】本発明の第６実施形態に係る空気調和機の制御部が実行する処理のフローチャートである。
【図１３】本発明の第７実施形態に係る空気調和機の機能ブロック図である。
【図１４】本発明の第７実施形態に係る空気調和機の制御部が実行する処理のフローチャートである。
【発明を実施するための形態】
【００１０】
≪第１実施形態≫
＜空気調和機の構成＞
図１は、第１実施形態に係る空気調和機１００の構成図である。
なお、図１の実線矢印は、暖房運転時の冷媒の流れを示している。
一方、図１の破線矢印は、冷房運転時の冷媒の流れを示している。
空気調和機１００は、冷房運転や暖房運転等の空調を行う機器である。図１に示すように、空気調和機１００は、圧縮機１１と、室外熱交換器１２と、室外ファン１３と、膨張弁１４と、を備えている。また、空気調和機１００は、前記した構成の他に、室内熱交換器１５と、室内ファン１６と、四方弁１７と、を備えている。
【００１１】
圧縮機１１は、低温低圧のガス冷媒を圧縮し、高温高圧のガス冷媒として吐出する機器である。図１に示すように、圧縮機１１は、駆動源である圧縮機モータ１１ａを備えている。
室外熱交換器１２は、その伝熱管（図示せず）を通流する冷媒と、室外ファン１３から送り込まれる外気と、の間で熱交換が行われる熱交換器である。
【００１２】
室外ファン１３は、室外熱交換器１２に外気を送り込むファンである。室外ファン１３は、駆動源である室外ファンモータ１３ａを備え、室外熱交換器１２の付近に設置されている。
膨張弁１４は、「凝縮器」（室外熱交換器１２及び室内熱交換器１５の一方）で凝縮した冷媒を減圧する弁である。なお、膨張弁１４で減圧された冷媒は、「蒸発器」（室外熱交換器１２及び室内熱交換器１５の他方）に導かれる。
【００１３】
室内熱交換器１５は、その伝熱管ｇ（図２参照）を通流する冷媒と、室内ファン１６から送り込まれる室内空気（空調対象空間の空気）と、の間で熱交換が行われる熱交換器である。
室内ファン１６は、室内熱交換器１５に室内空気を送り込むファンである。室内ファン１６は、駆動源である室内ファンモータ１６ｃ（図３参照）を有し、室内熱交換器１５の付近に設置されている。
【００１４】
四方弁１７は、空気調和機１００の運転モードに応じて、冷媒の流路を切り替える弁である。例えば、冷房運転時（図１の破線矢印を参照）には、冷媒回路Ｑにおいて、圧縮機１１、室外熱交換器１２（凝縮器）、膨張弁１４、及び室内熱交換器１５（蒸発器）を順次に介して、冷凍サイクルで冷媒が循環する。
【００１５】
一方、暖房運転時（図１の実線矢印を参照）には、冷媒回路Ｑにおいて、圧縮機１１、室内熱交換器１５（凝縮器）、膨張弁１４、及び室外熱交換器１２（蒸発器）を順次に介して、冷凍サイクルで冷媒が循環する。
【００１６】
すなわち、圧縮機１１、「凝縮器」、膨張弁１４、及び「蒸発器」を順次に介して冷媒が循環する冷媒回路Ｑにおいて、前記した「凝縮器」及び「蒸発器」の一方は室外熱交換器１２であり、他方は室内熱交換器１５である。
【００１７】
なお、図１の例では、圧縮機１１、室外熱交換器１２、室外ファン１３、膨張弁１４、及び四方弁１７が、室外機Ｕｏに設置されている。一方、室内熱交換器１５や室内ファン１６は、室内機Ｕｉに設置されている。
【００１８】
図２は、室内機Ｕｉの縦断面図である。
図２に示すように、室内機Ｕｉは、前記した室内熱交換器１５や室内ファン１６の他に、ドレンパン１８と、筐体ベース１９と、フィルタ２０ａ，２０ｂと、を備えている。さらに、室内機Ｕｉは、前面パネル２１と、左右風向板２２と、上下風向板２３と、を備えている。
【００１９】
室内熱交換器１５は、複数のフィンｆと、それらのフィンｆを貫通する複数の伝熱管ｇと、を備えている。別の観点から説明すると、室内熱交換器１５は、室内ファン１６の前側に配置される前側室内熱交換器１５ａと、室内ファン１６の後側に配置される後側室内熱交換器１５ｂと、を備えている。図２の例では、前側室内熱交換器１５ａの上端部と、後側室内熱交換器１５ｂの上端部と、が逆Ｖ状に接続されている。
【００２０】
室内ファン１６は、例えば、円筒状のクロスフローファンであり、室内熱交換器１５の付近に設置されている。室内ファン１６は、複数のファンブレード１６ａと、これらのファンブレード１６ａに設置される環状の仕切板１６ｂと、駆動源である室内ファンモータ１６ｃ（図３参照）と、を備えている。
【００２１】
ドレンパン１８は、室内熱交換器１５の凝縮水を受けるものであり、室内熱交換器１５の下側に設置されている。
筐体ベース１９は、室内熱交換器１５や室内ファン１６等の機器が設置される筐体である。
【００２２】
フィルタ２０ａ，２０ｂは、室内ファン１６の駆動に伴って室内熱交換器１５に向かう空気から塵埃を捕集するものである。一方のフィルタ２０ａは室内熱交換器１５の前側に配置され、他方のフィルタ２０ｂは室内熱交換器１５の上側に配置されている。
【００２３】
前面パネル２１は、前側のフィルタ２０ａを覆うように設置されるパネルであり、下端を軸として前側に回動可能になっている。なお、前面パネル２１が回動しない構成であってもよい。
左右風向板２２は、室内に吹き出される空気の左右方向の風向きを調整する板状部材である。左右風向板２２は、吹出風路ｈ３に配置され、左右風向板用モータ２４（図３参照）によって左右方向に回動するようになっている。
【００２４】
上下風向板２３は、室内に吹き出される空気の上下方向の風向きを調整する板状部材である。上下風向板２３は、空気吹出口ｈ４の付近に配置され、上下風向板用モータ２５（図３参照）によって上下方向に回動するようになっている。
【００２５】
空気吸込口ｈ１，ｈ２を介して吸い込まれた空気は、室内熱交換器１５の伝熱管ｇを通流する冷媒と熱交換し、熱交換した空気が吹出風路ｈ３に導かれる。そして、吹出風路ｈ３を通流する空気は、左右風向板２２及び上下風向板２３によって所定方向に導かれ、さらに、空気吹出口ｈ４を介して室内に吹き出される。
【００２６】
なお、空気の流れに伴って空気吸込口ｈ１，ｈ２に向かう塵埃の大部分は、フィルタ２０ａ，２０ｂで捕集される。しかしながら、細かい塵埃がフィルタ２０ａ，２０ｂを通り抜けて室内熱交換器１５に付着することがあるため、室内熱交換器１５を定期的に洗浄することが望ましい。そこで、本実施形態では、室内熱交換器１５で凍結して着霜させた後、室内熱交換器１５を解凍して洗浄するようにしている。以下では、室内熱交換器１５の凍結を含む一連の処理を、室内熱交換器１５の「凍結洗浄」という。
【００２７】
図３は、空気調和機１００の機能ブロック図である。
図３に示す室内機Ｕｉは、前記した各構成の他に、リモコン送受信部２６と、環境検出部２７と、室内制御回路３１と、を備えている。
リモコン送受信部２６は、赤外線通信等によって、リモコン４０との間で所定の情報をやり取りする。
【００２８】
環境検出部２７は、室内温度センサ２７ａと、室内熱交換器温度センサ２７ｂと、を備えている。
室内温度センサ２７ａは、室内（空調対象空間）の温度を検出するセンサであり、例えば、フィルタ２０ａ，２０ｂ（図２参照）の空気吸込側に設置されている。
【００２９】
室内熱交換器温度センサ２７ｂは、室内熱交換器１５（図２参照）の温度を検出するセンサであり、室内熱交換器１５に設置されている。
室内温度センサ２７ａ及び室内熱交換器温度センサ２７ｂの検出値は、室内制御回路３１に出力される。
【００３０】
なお、図３の例では、空気調和機１００が、室内の湿度（例えば、相対湿度）を検出する湿度センサ（図示せず）を備えない構成になっているが、これに限定されるものではない。
【００３１】
室内制御回路３１は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００３２】
図３に示すように、室内制御回路３１は、記憶部３１ａと、室内制御部３１ｂと、を備えている。
記憶部３１ａには、所定のプログラムの他、リモコン送受信部２６を介して受信したデータや、各センサの検出値等が記憶される。
室内制御部３１ｂは、記憶部３１ａに記憶されたデータに基づいて、室内ファンモータ１６ｃ、左右風向板用モータ２４、上下風向板用モータ２５等を制御する。
【００３３】
室外機Ｕｏは、前記した構成の他に、室外温度センサ２８と、室外制御回路３２と、を備えている。
室外温度センサ２８は、室外の温度を検出するセンサであり、室外機Ｕｏの所定箇所に設置されている。なお、図３では省略しているが、室外機Ｕｏは、圧縮機１１（図１参照）の吐出温度を検出するセンサも備えている。これらの各センサの検出値は、室外制御回路３２に出力される。
【００３４】
室外制御回路３２は、図示はしないが、ＣＰＵ、ＲＯＭ、ＲＡＭ、各種インタフェース等の電子回路を含んで構成され、通信線を介して室内制御回路３１に接続されている。図３に示すように、室外制御回路３２は、記憶部３２ａと、室外制御部３２ｂと、を備えている。
【００３５】
記憶部３２ａには、所定のプログラムの他、室内制御回路３１から受信したデータ等が記憶される。室外制御部３２ｂは、記憶部３２ａに記憶されたデータに基づいて、圧縮機モータ１１ａ、室外ファンモータ１３ａ、膨張弁１４等を制御する。なお、少なくとも圧縮機１１（図１参照）及び膨張弁１４を制御する「制御部３０」は、室内制御回路３１と、室外制御回路３２と、を含んで構成される。
次に、室内熱交換器１５の凍結洗浄に関する制御部３０の処理について、図４を用いて説明する。
【００３６】
＜制御部の処理＞
図４は、第１実施形態に係る空気調和機１００の制御部３０が実行する処理のフローチャートである（適宜、図３を参照）。
なお、図４では省略しているが、例えば、前回の凍結洗浄（Ｓ１０１〜Ｓ１０４）の終了時から積算した空調運転の実行時間の和が所定時間に達した場合、制御部３０が、ステップＳ１０１の処理を開始するようにしてもよい。また、ユーザによってリモコン４０の凍結洗浄のボタン（図示せず）が押された場合、制御部３０が、ステップＳ１０１の処理を開始するようにしてもよい。
【００３７】
ステップＳ１０１において制御部３０は、室内温度センサ２７ａの検出値である室内温度Ｔが第１所定値Ｔ１以上であるか否かを判定する。ここで、第１所定値Ｔ１とは、室内熱交換器１５の凍結処理（Ｓ１０２）を行うか否かの判定基準となる閾値であり、予め設定されている。
【００３８】
また、室内温度センサ２７ａ（図３参照）を用いた室内温度（空調対象空間の温度）の検出時に、制御部３０が室内ファン１６を駆動させることが好ましい。これによって、室内の空気が攪拌されるため、室内温度センサ２７ａが室内温度を検出する際の誤差を低減できる。
【００３９】
ステップＳ１０１において室内温度Ｔが第１所定値Ｔ１以上である場合（Ｓ１０１：Ｙｅｓ）、制御部３０は、室内熱交換器１５の凍結処理（Ｓ１０２）を行うことなく、一連の処理を終了する（ＥＮＤ）。なお、室内温度Ｔが第１所定値Ｔ１以上である場合でも、凍結処理を行うことがあるが、その例については後記する（第２、第３実施形態）。
一方、ステップＳ１０１において室内温度Ｔが第１所定値Ｔ１未満である場合（Ｓ１０１：Ｎｏ）、ステップＳ１０２において制御部３０は、室内熱交換器１５を凍結させる（凍結処理）。
【００４０】
ところで、空気調和機１００では、ユーザによるリモコン４０の操作で変更可能な設定温度（空調対象空間の温度設定値）の上限値・下限値が予め設定され、記憶部３１ａに格納されている。その一例を挙げると、冷房運転時や暖房運転時、ユーザがリモコン４０の操作によって、１０℃（下限値Ｔｍｉｎ）以上かつ３２℃（上限値ＴＭＡＸ）以下の範囲内で設定温度を変更できるようになっている。
【００４１】
そして、本実施形態では、ステップＳ１０１の判定処理で用いられる第１所定値Ｔ１が、冷房運転時又は暖房運転時にリモコン４０で変更可能な設定温度の上限値ＴＭＡＸ（例えば、３２℃）よりも低い値として、予め設定されている。本実施形態では、一例として、第１所定値Ｔ１が３０℃で設定されているものとして説明する。
【００４２】
図５は、室内温度に関する前記の第１所定値Ｔ１や前記の上限値ＴＭＡＸが記載された湿り空気線図である（適宜、図３を参照）。
なお、図５の横軸は、空気の乾球温度（つまり、室内温度）である。図５の縦軸は、空気の絶対湿度である。また、図５の右上がりの曲線（実線及び破線）は、空気の相対湿度（例えば、８０％）が等しい点の集まりである。図５の例では、冷房運転時又は暖房運転時にリモコン４０で変更可能な設定温度の上限値ＴＭＡＸが３２℃であり、第１所定値Ｔ１が３０℃に設定されている。
【００４３】
例えば、室内空気の乾球温度が第１所定値Ｔ１よりも高い３５℃であり、相対湿度８０％の状態Ｈでは、その絶対湿度（乾き空気１ｋｇに対する水蒸気の質量）が、約０．０２９［ｋｇ／ｋｇ（ＤＡ）］になっている。
仮に、絶対湿度が比較的高い状態Ｈの空気中で室内熱交換器１５が凍結されると、それに伴って、室内機Ｕｉ付近の空気が冷やされる。その結果、筐体ベース１９（図２参照）の内表面・外表面が結露し、場合によっては、露垂れが生ずる可能性がある。なお、室内温度Ｔが高いほど、室内空気が含むことが可能な水蒸気の量（相対湿度が１００％のときの絶対湿度）が多くなり、室内熱交換器１５の凍結中に露垂れが生じやすくなる。
【００４４】
例えば、室内空気の乾球温度が３０℃（第１所定値Ｔ１）であり、相対湿度が１００％である場合の絶対湿度を超えるような条件において、露垂れが発生する可能性がある。
そこで、本実施形態では、室内温度Ｔが第１所定値Ｔ１以上である場合には（図４のＳ１０１：Ｙｅｓ）、制御部３０が、室内熱交換器１５の凍結処理（Ｓ１０２）を行わないようにしている。つまり、室内温度Ｔが第１所定値Ｔ１以上である場合には、室内空気の絶対湿度が高い可能性（つまり、室内機Ｕｉでの露垂れ）を考慮し、念のために制御部３０が凍結処理を行わないようにしている。これによって、室内機Ｕｉの露垂れを未然に防止できる。
【００４５】
なお、室内温度Ｔが第１所定値Ｔ１以上である場合、制御部３０が、凍結処理の継続時間を短くしたり、凍結処理中の圧縮機モータ１１ａ（図３参照）の回転速度を小さくしたりしてもよいが、これについては第２、第３実施形態で説明する。
【００４６】
一方、図５において、室内空気の乾球温度が第１所定値Ｔ１よりも低い２０℃であって相対湿度８０％の状態Ｊである場合、その絶対湿度は約０．０１２［ｋｇ／ｋｇ（ＤＡ）］である。このように絶対湿度が比較的低い空気中では、室内熱交換器１５が凍結されても、室内機Ｕｉで露垂れが生じる可能性はほとんどない。
【００４７】
ちなみに、乾球温度が２０℃、相対湿度１００％の状態Ｋであっても、その絶対湿度は約０．０１５［ｋｇ／ｋｇ（ＤＡ）］であり、それほど高くはない。つまり、乾球温度が２０℃の状態では、相対湿度の高・低に関わらず、室内熱交換器１５の凍結中に室内機Ｕｉで露垂れが生じる可能性はほとんどない。このように、相対湿度の高・低に関わらず室内機Ｕｉで露垂れが生じないように、第１所定値Ｔ１が予め設定されている。
【００４８】
再び、図４に戻って説明を続ける。
ステップＳ１０１において室内温度Ｔが第１所定値Ｔ１未満である場合（Ｓ１０１：Ｎｏ）、ステップＳ１０２において制御部３０は、室内熱交換器１５を凍結させる。すなわち、制御部３０は、室内熱交換器１５を蒸発器として機能させ、空気中の水分を室内熱交換器１５に着霜させて、室内熱交換器１５を凍結させる。
【００４９】
このステップＳ１０２についてさらに詳しく説明すると、制御部３０は、例えば、膨張弁１４（図１参照）の開度を冷房運転時よりも小さくして、圧縮機１１（図１参照）を駆動する。これによって、低圧で蒸発温度の低い冷媒が室内熱交換器１５に流入するため、空気中の水分が室内熱交換器１５に着霜し、さらに、が室内熱交換器１５の表面の霜や氷が成長する。なお、凍結処理における膨張弁１４の開度は、冷房運転時の開度と略同一であってもよい。
【００５０】
図６は、圧縮機１１及び室内ファン１６のＯＮ／ＯＦＦの切替えに関する説明図である（適宜、図１を参照）。
なお、図６の横軸は時刻である。また、図６の縦軸は、圧縮機１１のＯＮ／ＯＦＦ、及び室内ファン１６のＯＮ／ＯＦＦを示している。図６の例では、所定の空調運転が時刻ｔ１まで行われた後、圧縮機１１及び室内ファン１６が駆動している（つまり、ＯＮ状態である）。その後、時刻ｔ１〜ｔ２において圧縮機１１及び室内ファン１６が停止した後、時刻ｔ２〜ｔ３において室内熱交換器１５の凍結が行われている（図４のステップＳ１０２）。
【００５１】
図６の例では、室内熱交換器１５の凍結中、室内ファン１６が停止されている。これによって、室内に冷風が吹き出されないため、ユーザの快適性を損なうことなく室内熱交換器１５を凍結させることができる。なお、時刻ｔ３以後の処理については後記する。
ちなみに、室内熱交換器１５の凍結中、制御部３０が室内ファン１６を停止させずに、この室内ファン１６を駆動させるようにしてもよい。
【００５２】
次に、図４のステップＳ１０３において制御部３０は、室内熱交換器１５を解凍する。例えば、制御部３０は、室内ファン１６や圧縮機１１等の機器を停止状態にする。これによって、室内熱交換器１５の霜や氷が室温で自然解凍され、多量の水がフィンｆ（図２参照）を伝ってドレンパン１８に流れ落ちる。これによって、室内熱交換器１５に付着していた塵埃が洗い流される。
【００５３】
次に、図４のステップＳ１０４において制御部３０は、室内熱交換器１５を乾燥させる。図６の例では、室内熱交換器１５の解凍後、時刻ｔ４〜ｔ６の「乾燥」運転として、暖房運転及び送風運転が順次に行われている。これによって、室内機Ｕｉにおけるカビ等の菌の繁殖を抑制できる。ステップＳ１０４の乾燥運転を行った後、制御部３０は、凍結洗浄に関する一連の処理を終了する（ＥＮＤ）。
【００５４】
なお、図４では省略しているが、室内温度Ｔ（室内温度センサ２７ａの検出値）が、第１所定値Ｔ１（例えば、３０℃）よりも低い第２所定値Ｔ２（例えば、１０℃）以下である場合、制御部３０が凍結処理（Ｓ１０２）を行わないようにすることが好ましい。室内温度Ｔが低すぎると、単位体積当たりの室内空気に含むことが可能な水分の量が少なすぎて、凍結処理中（Ｓ１０２）、室内熱交換器１５への着霜が進みにくいからである。
【００５５】
なお、第２所定値Ｔ２は、室内熱交換器１５の凍結処理に要する時間や消費電力量に基づき、第１所定値Ｔ１よりも低い値として、予め設定されている。また、第２所定値Ｔ２は、冷房運転時又は暖房運転時にリモコン４０で変更可能な設定温度の下限値Ｔｍｉｎ（例えば、１０℃）以上であってもよい。これによって、室内温度Ｔがリモコン４０で変更可能な設定温度の範囲内であっても、その数値が低すぎる場合には、凍結処理を適宜に中止できる。なお、前記した第２所定値Ｔ２の大きさは、下限値Ｔｍｉｎ以上に限定されるものではなく、下限値Ｔｍｉｎ未満であってもよい。
【００５６】
また、室内温度Ｔ（室内温度センサ２７ａの検出値）が第１所定値Ｔ１以上である場合において、凍結処理（Ｓ１０２）を行わないとき、制御部３０が冷房運転又は送風運転を行うことが好ましい。例えば、リモコン４０の凍結洗浄のボタン（図示せず）をユーザが押した場合において、室内温度Ｔが第１所定値Ｔ１以上であったとき、制御部３０は、凍結洗浄に代えて、冷房運転又は送風運転を行う。
【００５７】
これによって、冷房運転では、室内熱交換器１５に発生する凝縮水によって、室内熱交換器１５が洗い流される。また、送風運転では、室内機Ｕｉの内部が乾燥するため、室内機Ｕｉが清潔な状態になる。このように、凍結処理とは異なる方法で室内機Ｕｉを清潔にすることができる。また、リモコン４０を操作しても空気調和機１００の運転音が全く生じない場合に比べて、ユーザの違和感を低減できる。
【００５８】
＜効果＞
第１実施形態によれば、制御部３０は、室内温度Ｔが第１所定値Ｔ１以上である場合（図４のＳ１０１：Ｙｅｓ）、室内熱交換器１５の凍結処理を行わない（ＥＮＤ）。これによって、室内空気に多量の水分が含まれている状態で凍結洗浄が行われることを未然に防ぐことができる。したがって、室内熱交換器１５の凍結中における室内機Ｕｉでの露垂れを抑制できる。このように第１実施形態によれば、室内熱交換器１５を清潔な状態にし、さらに、露垂れを抑制する空気調和機１００を提供できる。
【００５９】
また、室内熱交換器１５を凍結させるか否かの判定（図４のＳ１０１）に用いられる第１所定値Ｔ１は、リモコン４０で変更可能な設定温度の上限値よりも低い。したがって、例えば、その露点が第１所定値Ｔ１である空気の絶対湿度（相対湿度１００％のときの絶対湿度）に基づいて、第１所定値Ｔ１が適宜に設定されることで、凍結洗浄時の室内機Ｕｉでの露垂れを抑制できる。
【００６０】
また、室内熱交換器１５の凍結処理を行うか否かの判定には、前記したように、室内温度の検出値が用いられる。一方、室内湿度を検出する必要は特にないため、室内機Ｕｉに湿度センサが設けられていない安価な空気調和機であっても、室内熱交換器１５の凍結洗浄を行うことができる。
【００６１】
≪第２実施形態≫
第２実施形態は、室内温度Ｔが第１所定値Ｔ１以上である場合、制御部３０が凍結処理の継続時間を通常よりも短くする点が、第１実施形態とは異なっている。すなわち、第１実施形態では、室内温度Ｔが第１所定値Ｔ１以上である場合、制御部３０が凍結処理を行わなかったが、この第２実施形態では、室内温度Ｔが第１所定値Ｔ１以上である場合でも制御部３０が凍結処理を行うようにしている。
なお、その他（空気調和機１００の構成等：図１〜図３参照）については、第１実施形態と同様である。したがって、第１実施形態とは異なる部分について説明し、重複する部分については説明を省略する。
【００６２】
図７は、第２実施形態に係る空気調和機１００の制御部３０が実行する処理のフローチャートである（適宜、図３を参照）。
なお、図７のステップＳ１０１〜Ｓ１０４については、第１実施形態（図４参照）と同様であるから、その説明を省略する。ステップＳ１０１において、室内温度センサ２７ａの検出値である室内温度Ｔが第１所定値Ｔ１以上である場合（Ｓ１０１：Ｙｅｓ）、制御部３０の処理はステップＳ２０１に進む。
【００６３】
ステップＳ２０１において制御部３０は、室内熱交換器１５の凍結時間を短く設定する。すなわち、制御部３０は、室内温度Ｔ（室内温度センサ２７ａの検出値）が第１所定値Ｔ１未満である場合よりも、室内熱交換器１５の凍結処理（Ｓ２０２）の継続時間を短くする。
【００６４】
次にステップＳ２０２において制御部３０は、室内熱交換器１５を凍結させる。すなわち、制御部３０は、ステップＳ２０２の凍結処理を通常（Ｓ１０２）よりも短い時間行う。これによって、単位体積当たりの室内空気に含まれる水分の量が多い状況であっても、室内機Ｕｉでの露垂れを抑制しつつ、室内熱交換器１５を凍結させることができる。室内熱交換器１５を凍結させた後（Ｓ２０２）、制御部３０は、室内熱交換器１５の解凍（Ｓ１０３）・乾燥（Ｓ１０４）を順次に行い、一連の処理を終了する（ＥＮＤ）。
【００６５】
＜効果＞
第２実施形態によれば、室内温度Ｔが第１所定値Ｔ１以上である場合において（図７のＳ１０１：Ｙｅｓ）、凍結処理を行うときでも、制御部３０は、室内熱交換器１５の凍結時間を短く設定する（Ｓ２０１）。これによって、室内温度が比較的高い状況でも、室内機Ｕｉでの露垂れを抑制しつつ、室内熱交換器１５の凍結洗浄を行うことができる。
【００６６】
≪第３実施形態≫
第３実施形態は、第２実施形態と同様に、室内温度Ｔが第１所定値Ｔ１以上である場合でも制御部３０が凍結処理を行うが、この第３実施形態では、凍結処理中の圧縮機モータ１１ａの回転速度を通常よりも小さくする点が、第２実施形態とは異なっている。なお、その他（空気調和機１００の構成等：図１〜図３参照）については、第２実施形態と同様である。したがって、第２実施形態とは異なる部分について説明し、重複する部分については説明を省略する。
【００６７】
図８は、第３実施形態に係る空気調和機１００の制御部３０が実行する処理のフローチャートである（適宜、図３を参照）。
なお、図８のステップＳ１０１〜Ｓ１０４については、第１実施形態（図４参照）と同様であるから、その説明を省略する。ステップＳ１０１において、室内温度センサ２７ａの検出値である室内温度Ｔが第１所定値Ｔ１以上である場合（Ｓ１０１：Ｙｅｓ）、制御部３０の処理はステップＳ３０１に進む。
【００６８】
ステップＳ３０１において制御部３０は、圧縮機モータ１１ａの回転速度を小さく設定する。すなわち、制御部３０は、室内温度Ｔ（室内温度センサ２７ａの検出値）が第１所定値Ｔ１未満である場合よりも、凍結処理中（Ｓ３０２）の圧縮機モータ１１ａの回転速度を小さくする。
【００６９】
次に、ステップＳ３０２において制御部３０は、室内熱交換器１５を凍結させる。すなわち、制御部３０は、通常の凍結処理よりも小さな回転速度で圧縮機モータ１１ａを駆動させて、室内熱交換器１５を凍結させる。
【００７０】
なお、凍結処理中、制御部３０が圧縮機モータ１１ａを定速回転させてもよいし、また、フィードバック制御を行ってもよい。制御部３０が、圧縮機モータ１１ａのフィードバック制御を行う場合において、通常の凍結処理よりも「小さな回転速度」で圧縮機モータ１１ａを駆動するとは、次のことを意味している。
すなわち、凍結処理中の圧縮機モータ１１ａのフィードバック制御に用いられる複数のセンサ（室内温度センサ２７ａ、室外温度センサ２８、不図示の吐出温度センサ等）のうち、室内温度センサ２７ａ以外の各センサの検出値が所定の値であり、室内温度センサ２７ａの検出値が第１所定値Ｔ１未満であるとき、制御部３０が、圧縮機モータ１１ａを所定の回転速度で駆動したとする。一方、室内温度センサ２７ａ以外の各センサの検出値が前記した所定の値であり、室内温度センサ２７ａの検出値が第１所定値Ｔ１以上であるとき、制御部３０は、圧縮機モータ１１ａを前記した所定の回転速度よりも小さな回転速度で駆動する。
【００７１】
これによって、室内熱交換器１５の凍結中、冷媒回路Ｑ（図１参照）を循環する冷媒の流量が少なくなるため、冷媒と空気との間の熱交換量が通常の凍結時（Ｓ１０２）よりも小さくなる。したがって、単位体積当たりの室内空気に含まれる水分の量が多い状況であっても、室内機Ｕｉでの露垂れを抑制しつつ、室内熱交換器１５を凍結させることができる。
【００７２】
このようにして室内熱交換器１５を凍結させた後（Ｓ３０２）、制御部３０は、室内熱交換器１５の解凍（Ｓ１０３）・乾燥（Ｓ１０４）を順次に行い、一連の処理を終了する（ＥＮＤ）。
【００７３】
＜効果＞
第３実施形態によれば、室内温度Ｔが第１所定値Ｔ１以上である場合において（図８のＳ１０１：Ｙｅｓ）、凍結処理を行うときでも、制御部３０は、室内熱交換器１５を凍結させる際の圧縮機モータ１１ａの回転速度を通常よりも小さくする（Ｓ３０１）。これによって、室内温度が比較的高い状況でも、室内機Ｕｉでの露垂れを抑制しつつ、室内熱交換器１５の凍結洗浄を行うことができる。
【００７４】
≪第４実施形態≫
第４実施形態は、室内温度Ｔが第１所定値Ｔ１以上であっても、既に冷房運転又は除湿運転を行っていたときには、制御部３０が室内熱交換器１５を凍結させる点が、第１実施形態とは異なっている。なお、その他（空気調和機１００の構成等：図１〜図３参照）については、第１実施形態と同様である。したがって、第１実施形態とは異なる部分について説明し、重複する部分については説明を省略する。
【００７５】
図９は、第４実施形態に係る空気調和機１００の制御部３０が実行する処理のフローチャートである（適宜、図３を参照）。
なお、図９のステップＳ１０１〜Ｓ１０４については、第１実施形態（図４参照）と同様であるから、その説明を省略する。ステップＳ１０１において、室内温度センサ２７ａの検出値である室内温度Ｔが第１所定値Ｔ１以上である場合（Ｓ１０１：Ｙｅｓ）、制御部３０の処理はステップＳ４０１に進む。
【００７６】
ステップＳ４０１において制御部３０は、室内熱交換器１５の凍結に先立って冷房運転又は除湿運転を行ったか否かを判定する。具体的に説明すると、制御部３０は、ステップＳ４０１の直近に行った空調運転の運転モードが冷房運転又は除湿運転であるか否かを判定する。例えば、冷房運転が行われると、空気に含まれていた水分が室内熱交換器１５で結露し、その結露水がドレンパン１８（図２参照）及びドレンホース（図示せず）を順次に介して、外部に排出される。したがって、冷房運転後には、単位体積当たりの室内空気に含まれる水分の量が減っていることが多い。また、除湿運転（いわゆる冷房除湿や再熱除湿）が行われた場合も同様である。
【００７７】
なお、ステップＳ４０１において、直近に行った空調運転の運転モードが冷房運転又は除湿運転であるという条件の他に、前記した冷房運転等の継続時間が所定時間以上であるという条件が付加されてもよい。
また、直近に行われた空調運転の運転モードが冷房運転又は除湿運転である場合において、冷房運転等の終了時からの経過時間が所定時間以内であるという条件が付加されてもよい。
【００７８】
また、ステップＳ４０１において、制御部３０が、次の処理を行うようにしてもよい。例えば、冷房運転又は除湿運転を所定時間以上行ったとき、制御部３０は、その後に凍結洗浄を行ってもよい旨の許可フラグ（図示せず）を立てる。そして、ステップＳ４０１において前記した許可フラグが立っているとき、制御部３０が室内熱交換器１５を凍結させるようにしてもよい。
【００７９】
ステップＳ４０１において、室内熱交換器１５の凍結に先立って冷房運転又は除湿運転を行った場合（Ｓ４０１：Ｙｅｓ）、制御部３０の処理はステップＳ１０２に進む。ステップＳ１０２において制御部３０は、室内熱交換器１５を凍結させる。つまり、制御部３０は、室内熱交換器１５の凍結時間や圧縮機モータ１１ａの回転速度に関して、室内温度Ｔが第１所定値Ｔ１未満の場合と同様に凍結処理（Ｓ１０２）を実行する。
【００８０】
前記したように、冷房運転又は除湿運転が既に行われているため（Ｓ４０１：Ｙｅｓ）、室内温度Ｔが第１所定値Ｔ１以上であっても（Ｓ１０１：Ｙｅｓ）、単位体積当たりの室内空気に含まれる水分の量はそれほど多くない。したがって、室内熱交換器１５の凍結処理中（Ｓ１０２）、室内機Ｕｉで露垂れが生じるおそれはほとんどない。
【００８１】
ステップＳ１０２において室内熱交換器１５を凍結させた後、制御部３０は、室内熱交換器１５の解凍（Ｓ１０３）・乾燥（Ｓ１０４）を順次に行い、一連の処理を終了する（ＥＮＤ）。
【００８２】
一方、ステップＳ４０１において、室内熱交換器１５の凍結に先立って冷房運転を行っておらず、さらに、除湿運転も行っていなかった場合（Ｓ４０１：Ｎｏ）、制御部３０は、室内熱交換器１５の凍結処理（Ｓ１０２）を行うことなく、一連の処理を終了する（ＥＮＤ）。仮に、単位体積当たりの室内空気に多量の水分が含まれている状態で室内熱交換器１５が凍結されると、室内機Ｕｉで露垂れが生じる可能性があるからである。
【００８３】
＜効果＞
第４実施形態によれば、室内温度Ｔが第１所定値Ｔ１以上である場合でも（Ｓ１０１：Ｙｅｓ）、室内熱交換器１５の凍結に先立って冷房運転又は除湿運転が行われていたとき（Ｓ４０１：Ｙｅｓ）、制御部３０は室内熱交換器１５を凍結させる（Ｓ１０２）。これによって、単位体積当たりの室内空気に含まれる水分の量がそれほど多くない状態で、室内熱交換器１５の凍結洗浄を行うことができる。
【００８４】
≪第５実施形態≫
第５実施形態は、室内熱交換器１５の凍結に先立って行われた冷房運転又は除湿運転において、室内温度と室内熱交換器１５の温度との温度差が第３所定値以下である場合、制御部３０が室内熱交換器１５を凍結させない点が、第４実施形態とは異なっている。なお、その他については第４実施形態と同様である。したがって、第４実施形態とは異なる部分について説明し、重複する部分については説明を省略する。
【００８５】
図１０は、第５実施形態に係る空気調和機１００の制御部３０が実行する処理のフローチャートである（適宜、図３を参照）。
なお、図１０のステップＳ１０１〜Ｓ１０４，Ｓ４０１については、第４実施形態（図９参照）と同様であるから、その説明を省略する。ステップＳ１０１において、室内温度センサ２７ａの検出値である室内温度Ｔが第１所定値Ｔ１以上である場合（Ｓ１０１：Ｙｅｓ）、制御部３０の処理はステップＳ４０１に進む。
【００８６】
ステップＳ４０１において制御部３０は、室内熱交換器１５の凍結に先立って冷房運転又は除湿運転を行ったか否かを判定する。室内熱交換器１５の凍結に先立って冷房運転又は除湿運転を行った場合（Ｓ４０１：Ｙｅｓ）、制御部３０の処理はステップＳ５０１に進む。
【００８７】
ステップＳ５０１において制御部３０は、室内温度Ｔと室内熱交換器１５の温度Ｔevpとの温度差ΔＴ（＝Ｔ−Ｔevp）が第３所定値ΔＴ３以下であるか否かを判定する。すなわち、制御部３０は、凍結処理（Ｓ１０２）に先立って冷房運転又は除湿運転を行ったときの室内熱交換器１５の温度Ｔevpに対する室内温度Ｔの差ΔＴが第３所定値ΔＴ３以下であるか否かを判定する。
前記した第３所定値ΔＴ３は、室内熱交換器１５の凍結処理（Ｓ１０２）を行うか否かの判定基準となる閾値であり、予め設定されている。また、室内熱交換器１５の温度Ｔevpは、室内熱交換器温度センサ２７ｂ（図３参照）によって検出される。
【００８８】
なお、ステップＳ５０１の各温度Ｔ，Ｔevpは、冷房運転等が行われていたとき（例えば、冷房運転等の開始時から所定時間経過後）の検出値であってもよいし、その時間平均であってもよい。また、各温度Ｔ，Ｔevpは、冷房運転等の終了時からステップＳ４０１の処理の開始時までの所定タイミングにおける検出値であってもよいし、その時間平均であってもよい。
【００８９】
ステップＳ５０１において、室内温度Ｔと室内熱交換器１５の温度Ｔevpとの温度差ΔＴが第３所定値ΔＴ３以下である場合（Ｓ５０１：Ｙｅｓ）、制御部３０は、室内熱交換器１５の凍結処理（Ｓ１０２）を行うことなく、一連の処理を終了する（ＥＮＤ）。
なお、単位体積当たりの室内空気に含まれる水分の量が多いほど、室内空気と冷媒との間の熱交換量に占める潜熱の割合が大きくなる。つまり、室内空気に含まれる水分の凝縮に要する熱を冷媒が吸熱するため、室内熱交換器１５が冷えにくくなる。その結果、室内温度Ｔと室内熱交換器１５の温度Ｔevpとの温度差ΔＴ（＝Ｔ−Ｔevp）が小さくなる傾向がある。
【００９０】
一方、ステップＳ５０１において、室内温度Ｔと室内熱交換器１５の温度Ｔevpとの温度差ΔＴが第３所定値ΔＴ３よりも大きい場合（Ｓ５０１：Ｎｏ）、制御部３０の処理はステップＳ１０２に進む。例えば、単位体積当たりの室内空気に含まれる水分の量がそれほど多くない状況で冷房運転が行われた場合、冷媒と空気との間の熱交換量に占める潜熱の割合は比較的小さい。つまり、室内空気に含まれる水分から冷媒が吸熱する熱量が比較的少ないため、室内熱交換器１５が冷えやすくなる。その結果、前記した温度差ΔＴが比較的大きな値になる。
【００９１】
そして、ステップＳ１０２において室内熱交換器１５を凍結させた後、制御部３０は、室内熱交換器１５の解凍（Ｓ１０３）・乾燥（Ｓ１０４）を順次に行い、一連の処理を終了する（ＥＮＤ）。
【００９２】
図１１は、圧縮機モータ１１ａの回転速度と、第３所定値ΔＴ３と、の関係を示すマップである。
なお、図１１の横軸は、凍結処理に先立って行われた冷房運転中又は除湿運転中における圧縮機モータ１１ａの回転速度である。図１１の縦軸は、前記した第３所定値ΔＴ３（図１０のＳ５０１）である。
【００９３】
図１１に示すように、凍結処理に先立って行った冷房運転又は除湿運転における圧縮機モータ１１ａの回転速度ｎに対応して、第３所定値ΔＴ３を設定する。例えば、冷房運転中に圧縮機モータ１１ａを回転速度ｎｐで駆動させていた場合、制御部３０は、この回転速度ｎｐに対応する第３所定値ΔＴ３ｐを設定する。
【００９４】
また、冷房運転又は除湿運転における圧縮機モータ１１ａの回転速度が大きいほど、第３所定値ΔＴ３が大きいことが好ましい。圧縮機モータ１１ａの回転速度が大きいほど、冷媒回路Ｑ（図１参照）を循環する冷媒の流量が多くなり、室内熱交換器１５（蒸発器）が冷えやすくなるからである。
【００９５】
なお、前記した圧縮機モータ１１ａの回転速度として、冷房運転等が行われていたときの圧縮機モータ１１ａの回転速度平均値が用いられてもよい。また、図１１の直線ｍに相当するデータは、数式又はデータテーブルとして、記憶部３１ａ（図３参照）に予め格納されている。
【００９６】
＜効果＞
第５実施形態によれば、室内熱交換器１５の凍結処理前に冷房運転又は除湿運転を行っていた場合でも（図１０のＳ４０１：Ｙｅｓ）、室内温度Ｔと室内熱交換器１５の温度Ｔevpとの温度差ΔＴが第３所定値ΔＴ３以下であるとき（Ｓ５０１：Ｙｅｓ）、制御部３０は、室内熱交換器１５の凍結処理を行わない。これによって、単位体積当たりの室内空気に含まれる水分が比較的多いときには、室内熱交換器１５の凍結処理が行われないため、室内機Ｕｉでの露垂れを防止できる。
【００９７】
≪第６実施形態≫
第６実施形態は、室内温度Ｔが第１所定値Ｔ１以上である場合、制御部３０が冷房運転を行った後、室内熱交換器１５を凍結させる点が、第１実施形態とは異なっている。なお、その他（空気調和機１００の構成等：図１〜図３参照）については、第１実施形態と同様である。したがって、第１実施形態とは異なる部分について説明し、重複する部分については説明を省略する。
【００９８】
図１２は、第６実施形態に係る空気調和機１００の制御部３０が実行する処理のフローチャートである（適宜、図３を参照）。
なお、図１２のステップＳ１０１〜Ｓ１０４については、第１実施形態（図４参照）と同様であるから、その説明を省略する。ステップＳ１０１において、室内温度センサ２７ａの検出値である室内温度Ｔが第１所定値Ｔ１以上である場合（Ｓ１０１：Ｙｅｓ）、制御部３０の処理はステップＳ６０１に進む。
【００９９】
ステップＳ６０１において制御部３０は、冷房運転を実行する。これによって、室内熱交換器１５が蒸発器として機能し、室内機Ｕｉに取り込まれた空気に含まれる水分が室内熱交換器１５で結露する。そして、室内熱交換器１５の結露水は、ドレンパン１８（図２参照）及びドレンホース（図示せず）を順次に介して、外部に排出される。その結果、単位体積当たりの室内空気に含まれる水分の量が減るため、その後に行われる凍結処理中（Ｓ１０２）、室内機Ｕｉでの露垂れを抑制できる。
【０１００】
次にステップＳ１０２において制御部３０は、室内熱交換器１５を凍結させる。前記したように、室内熱交換器１５の凍結に先立って冷房運転が行われたため（Ｓ６０１）、室内熱交換器１５の凍結中に室内機Ｕｉで露垂れが生じるおそれはほとんどない。ステップＳ１０２において室内熱交換器１５を凍結させた後、制御部３０は、室内熱交換器１５の解凍（Ｓ１０３）・乾燥（Ｓ１０４）を順次に行い、一連の処理を終了する（ＥＮＤ）。
【０１０１】
なお、制御部３０が、ステップＳ６０１の冷房運転に代えて、除湿運転を行うようにしてもよい。このような除湿運転でも、冷房運転と同様に、室内空気に含まれる水分の量を減らすことができる。
【０１０２】
＜効果＞
第６実施形態によれば、室内温度Ｔ（室内温度センサ２７ａの検出値）が第１所定値Ｔ１以上である場合（Ｓ１０１：Ｙｅｓ）、制御部３０は、冷房運転又は除湿運転（Ｓ６０１）を行った後に室内熱交換器１５の凍結処理（Ｓ１０２）を行う。これによって、単位体積当たりの室内空気に含まれる水分の量が減らされた状態で、制御部３０が、室内熱交換器１５の凍結処理（Ｓ１０２）を行うことができる。その結果、凍結処理中の室内機Ｕｉでの露垂れを適切に抑制できる。
【０１０３】
≪第７実施形態≫
第７実施形態は、気象情報に基づく室外湿度等に基づいて、制御部３０が室内熱交換器１５を凍結させるか否かを判定する点が、第１実施形態とは異なっている。なお、その他については、第１実施形態と同様である。したがって、第１実施形態とは異なる部分について説明し、重複する部分については説明を省略する。
【０１０４】
図１３は、第７実施形態に係る空気調和機１００Ａの機能ブロック図である。
図１３に示すように、空気調和機１００Ａの室内機ＵＡｉは、第１実施形態（図３参照）で説明した構成に加えて、気象情報取得部２９を備えている。なお、室内機ＵＡｉに代えて、室外機Ｕｏに気象情報取得部２９が設けられてもよい。
気象情報取得部２９は、空気調和機１００の付近の室外湿度を含む気象情報を、ネットワーク（図示せず）を介してサーバ５０から取得する機能を有している。
【０１０５】
例えば、空気調和機１００Ａの初期設定時に、ユーザによるリモコン４０の操作によって、空気調和機１００Ａの位置情報（設置場所の地域名等）が入力され、この位置情報が記憶部３１ａに格納される。
【０１０６】
気象情報取得部３０は、サーバ５０から気象情報を取得する際、空気調和機１００Ａの位置情報を記憶部３１ａから読み出し、この位置情報をネットワーク（図示せず）を介してサーバ５０に送信する。制御部３０から位置情報を受信したサーバ５０は、空気調和機１００Ａの付近の気象情報をネットワーク（図示せず）を介して制御部３０に送信する。この気象情報には、室外温度や室外湿度が含まれている。サーバ５０から気象情報を受信した制御部３０は、この気象情報を記憶部３１ａに格納する。
【０１０７】
図１４は、第７実施形態に係る空気調和機の制御部３０が実行する処理のフローチャートである（適宜、図１３を参照）。
なお、図１４のステップＳ１０１〜Ｓ１０４については、第１実施形態（図４参照）と同様であるから、その説明を省略する。
ステップＳ７０１において制御部３０は、気象情報取得部２９によって、室外湿度を含む気象情報をサーバ５０から取得する。そして、制御部３０は、この気象情報を記憶部３１ａに格納する。なお、制御部３０が、ステップＳ７０１の処理を定期的に行ってもよいし、また、気象情報を空調制御に用いる際に行ってもよい。
【０１０８】
次にステップＳ１０１において制御部３０は、室内温度センサ２７ａの検出値である室内温度Ｔが第１所定値Ｔ１以上であるか否かを判定する。室内温度Ｔが第１所定値Ｔ１以上である場合（Ｓ１０１：Ｙｅｓ）、制御部３０の処理はステップＳ７０２に進む。
【０１０９】
ステップＳ７０２において制御部３０は、気象情報に含まれる室外湿度Ｕ（室外空気の相対湿度又は絶対湿度）が第４所定値Ｕ４以下であるか否かを判定する。この第４所定値Ｕ４は、室内熱交換器１５を凍結させるか否かの判定基準となる閾値であり、予め設定されている。また、室外湿度Ｕが低いほど、室内湿度も低い傾向がある。
【０１１０】
ステップＳ７０２において室外湿度Ｕが第４所定値Ｕ４以下である場合（Ｓ７０２：Ｙｅｓ）、制御部３０の処理はステップＳ１０２に進む。
ステップＳ１０２において制御部３０は、室内熱交換器１５を凍結させる。つまり、制御部３０は、室内熱交換器１５の凍結時間や圧縮機モータ１１ａの回転速度に関して、室内温度Ｔが第１所定値Ｔ１未満の場合と同様に凍結処理（Ｓ１０２）を実行する。
【０１１１】
前記したように、室外湿度Ｕは第４所定値以下であるため、室内湿度も低い可能性が高い。つまり、単位体積当たりの室内空気に含まれる水分の量が比較的少ないため、室内熱交換器１５の凍結中に室内機ＵＡｉで露垂れが生じるおそれはほとんどない。
ステップＳ１０２において室内熱交換器１５を凍結させた後、制御部３０は、室内熱交換器１５の解凍（Ｓ１０３）・乾燥（Ｓ１０４）を順次に行い、一連の処理を終了する（ＥＮＤ）。
【０１１２】
一方、ステップＳ７０２において室外湿度Ｕが第４所定値Ｕ４よりも高い場合（Ｓ７０２：Ｎｏ）、制御部３０は、室内熱交換器１５の凍結処理（Ｓ１０２）を行うことなく、一連の処理を終了する（ＥＮＤ）。室外湿度Ｕが第４所定値Ｕ４よりも高い場合には、室内湿度も高い可能性があるからである。
【０１１３】
＜効果＞
第７実施形態によれば、室内温度Ｔが第１所定値Ｔ１以上である場合でも（Ｓ１０１：Ｙｅｓ）、室外湿度Ｕが第４所定値Ｕ４以下であるときには（Ｓ７０２：Ｙｅｓ）、制御部３０は、室内熱交換器１５を凍結させる（Ｓ１０２）。これによって、室内機ＵＡｉでの露垂れを抑制しつつ、室内熱交換器１５の凍結洗浄を行うことができる。
また、第７実施形態によれば、室外機Ｕｏに外気の湿度を検出するための湿度センサ（図示せず）を設ける必要がないため、低コスト化を図ることができる。
【０１１４】
≪変形例≫
以上、本発明に係る空気調和機１００等について各実施形態で説明したが、本発明はこれらの記載に限定されるものではなく、種々の変更を行うことができる。
例えば、室内熱交換器１５の凍結・解凍に代えて、制御部３０が、室内熱交換器１５を蒸発器として機能させ、室内熱交換器１５を結露させてもよい。例えば、制御部３０は、室内熱交換器１５の温度が、室内空気の露点以下であり、かつ、所定の凍結温度（室内熱交換器１５が凍結し始めるときの温度）よりも高くなるように、膨張弁１４の開度を調整する。これによって、室内熱交換器１５が結露し、その結露水で室内熱交換器１５が洗い流される。
【０１１５】
また、第１実施形態では、ステップＳ１０１（図４参照）の処理時における室内温度Ｔが第１所定値Ｔ１以上であるか否かが判定される場合について説明したが、これに限らない。例えば、ステップＳ１０１の判定処理に先立つ所定時間の室内温度Ｔ（平均値等）に基づいて、ステップＳ１０１の判定処理が行われてもよい。
【０１１６】
また、室内温度Ｔ（室内温度センサ２７ａの検出値）が第１所定値Ｔ１以上である場合でも、室内熱交換器１５の凍結処理に先立って行った冷房運転又は除湿運転において、室内温度Ｔの低下幅又は低下速度が第５所定値以上であるときには、制御部３０が凍結処理を実行するようにしてもよい。この場合において制御部３０は、室内熱交換器１５の凍結時間や圧縮機モータ１１ａの回転速度に関して、室内温度Ｔが第１所定値Ｔ１未満の場合と同様に凍結処理を実行する。
なお、前記した室内温度Ｔの「低下幅」とは、冷房運転又は除湿運転が継続されている期間内での所定時間における室内温度Ｔの低下幅である。また、室内温度Ｔの「低下速度」についても同様である。
例えば、室内温度Ｔと露点との間の温度差が比較的大きいときには、冷媒と空気との間の熱交換量に占める潜熱の割合が小さいため、室内空気は冷えやすい。その結果、室内温度Ｔの低下幅又は低下速度が第５所定値以上になることが多い。このような場合には、室内空気がそれほど湿っていない可能性が高いため、凍結洗浄が行われても、室内機Ｕｉで露垂れが生じるおそれはほとんどない。
【０１１７】
また、第６実施形態では、室内温度Ｔが第１所定値Ｔ１以上であるとき（図１２のＳ１０１：Ｙｅｓ）、制御部３０が、冷房運転又は除湿運転（Ｓ６０１）を行った後に凍結処理（Ｓ１０２）を行う場合について説明したが、これに限らない。すなわち、室内温度Ｔの高さに関わらず、凍結処理（Ｓ１０２）に先立って、制御部３０が冷房運転又は除湿運転を行うようにしてもよい。これによって、制御部３０の処理の簡素化を図るとともに、凍結処理中の室内機Ｕｉでの露垂れを抑制できる。
【０１１８】
また、各実施形態では、リモコン４０による変更可能な設定温度が、冷房運転・暖房運転のいずれにおいても１０℃以上かつ３２℃以下である場合について説明したが、これに限らない。例えば、冷房運転時に変更可能な設定温度の範囲と、暖房運転時に変更可能な設定温度の範囲と、が異なっていてもよい。この場合において制御部３０は、冷房運転時の設定温度の上限値、又は、暖房運転時の設定温度の上限値に基づいて、ステップＳ１０１（図４等を参照）の判定処理を実行する。
なお、前記したリモコン４０の他に、携帯電話、スマートフォン、タブレット等の携帯端末（図示せず）の操作に基づき、空気調和機１００の空調運転等が行われるようにしてもよい。
【０１１９】
また、各実施形態は、適宜に組み合わせることができる。例えば、第２実施形態と第３実施形態とを組み合わせてもよい。すなわち、室内温度Ｔが第１所定値Ｔ１以上である場合、制御部３０が、室内熱交換器１５の凍結時間を短くし（第２実施形態）、さらに、室内熱交換器１５の凍結中における圧縮機モータ１１ａの回転速度を小さく設定してもよい（第３実施形態）。
【０１２０】
また、各実施形態では、室内機Ｕｉ（図１参照）及び室外機Ｕｏ（図１参照）が一台ずつ設けられる構成について説明したが、これに限らない。すなわち、並列接続された複数台の室内機を設けてもよいし、また、並列接続された複数台の室外機を設けてもよい。
また、各実施形態で説明した空気調和機１００は、壁掛型の空気調和機の他、さまざまな種類の空気調和機に適用可能である。
【０１２１】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【０１２２】
１００，１００Ａ  空気調和機
１１    圧縮機
１１ａ  圧縮機モータ（圧縮機のモータ）
１２    室外熱交換器（凝縮器／蒸発器）
１３    室外ファン
１４    膨張弁
１５    室内熱交換器（蒸発器／凝縮器）
１６    室内ファン
２７ａ  室内温度センサ
２７ｂ  室内熱交換器温度センサ
２８    室外温度センサ
２９    気象情報取得部
３０    制御部
４０    リモコン
５０    サーバ
Ｑ      冷媒回路
【要約】
室内熱交換器を清潔な状態にし、さらに、露垂れを抑制する空気調和機を提供する。空気調和機（１００）の制御部（３０）は、室内熱交換器（１５）を蒸発器として機能させ、室内熱交換器（１５）を凍結させる凍結処理を行う。室内温度センサの検出値が第１所定値以上である場合、制御部（３０）は、凍結処理を行わないか、凍結処理を行うときでも、凍結処理の継続時間を短くし、又は、凍結処理中の圧縮機モータ（１１ａ）の回転速度を小さくする。前記した第１所定値は、冷房運転時又は暖房運転時にリモコンで変更可能な設定温度の上限値よりも低い。【図１】
0006641066.tif 000002
【図２】
0006641066.tif 000003
【図３】
0006641066.tif 000004
【図４】
0006641066.tif 000005
【図５】
0006641066.tif 000006
【図６】
0006641066.tif 000007
【図７】
0006641066.tif 000008
【図８】
0006641066.tif 000009
【図９】
0006641066.tif 000010
【図１０】
0006641066.tif 000011
【図１１】
0006641066.tif 000012
【図１２】
0006641066.tif 000013
【図１３】
0006641066.tif 000014
【図１４】
0006641066.tif 000015